(57)【特許請求の範囲】
【請求項１】
熱交換器で空気から凝縮して生成されるドレン水を受けるドレンパンであって、
水平方向に広がる板状をなして前記ドレン水を排出するポンプの吸込口に対向する位置に開口部が形成されたドレンパンシート、及び、該ドレンパンシートから前記開口部を取り囲むように上方に突出するシート突出部を有するドレンパン本体と、
前記ドレンパン本体とは別部材によって形成され前記開口部に取り付けられるノズルであって、上下に延びる筒状に形成されて前記開口部に配置されたノズル本体、該ノズル本体と一体に形成されて該ノズル本体の上端から径方向に広がるとともに前記ドレンパンシートの上面に接触するノズル取付部、及び、前記シート突出部の径方向内側で前記ノズル取付部から上方に突出する円筒状をなすノズル突出部を有するノズルと、
光透過性を有する材料で形成され、前記ノズルに対して回転して嵌め合わされて前記ノズルの下端を閉塞するキャップと、
前記ノズル突出部、前記ノズル取付部及び前記シート突出部によって囲まれた空間に流し込まれて固化した接着剤からなる固定部と、
を備えるドレンパン。
【請求項２】
ファンからの空気が通過する熱交換器と、
前記熱交換器で前記空気から凝縮して生成されるドレン水を受ける請求項１に記載のドレンパンと、を備える空気調和機。
【発明の詳細な説明】
【技術分野】
【０００１】
本発明は、ドレンパン、及び空気調和機に関する。
【背景技術】
【０００２】
工場、オフィスビル、家庭等に設置され、室内の空調を行う空気調和機が知られている。空気調和機は、圧縮機等を有する室外機と、室内ファン等を有する室内機とによって構成されている。空気調和機は、温度や湿度が調整された空気を室内機から室内に供給する。
【０００３】
空気調和機の室内機は、室内の空気を取り込んで、熱交換器に通過させた後に室内に再び吹き出している。ここで、熱交換器では、冷房運転の際に室内の空気が冷却されることで、空気に含まれる水蒸気が凝縮してドレン水が発生する。このため、このドレン水を貯留するドレンパン、及びドレンパンからのドレン水の排水を行うドレンポンプが室内機に設けられている。
【０００４】
空気調和機を一定期間運転し続けることで、ドレンパンには、凝縮水とともに空気中のゴミ等が集まることで生じるヘドロなどの異物も溜まってしまう。そのため、ドレンポンプによってドレンパンに溜まったドレン水を吸込口から吸い込んで排出し続ける際に、この異物によって吸込口が詰まってしまう場合がある。そこで、空気調和機では、ドレンポンプの吸込口を定期的に点検し、異物が詰まっている場合には吸込口を清掃する必要がある。
【０００５】
吸込口を清掃するために、ドレンポンプの吸込口に対応する位置に開口が形成されたドレンパンが、例えば、特許文献１の室内機に記載されている。特許文献１の室内機では、ドレンパンにインサート成形で取り付けられたドレンソケットに形成されたドレン排出口を閉塞する透明なドレンプラグを有する構造が開示されている。このドレンパンでは、ドレンプラグがドレンソケットに対して着脱可能とされている。このドレンパンでは、透明なドレンプラグを介してドレンポンプの吸込口の中を確認し、吸込口が詰まっている場合にはドレンプラグをドレンソケットから取り外すことで吸込口を清掃可能としている。
【先行技術文献】
【特許文献】
【０００６】
【特許文献１】特開２０１３−１６７４１０号公報
【発明の概要】
【発明が解決しようとする課題】
【０００７】
しかしながら、特許文献１に記載の室内機のドレンパンでは、インサート成形によってドレンソケットがドレンパン自体に一体に取り付けてられている。そのため、ドレンソケットの材質によっては、インサート成形時に高温高圧な環境下に曝されて変形してしまうおそれがある。ノズルであるドレンソケットが変形することで、ドレンソケットとキャップであるドレンプラグと間のシール性が弱くなくなってしまう。その結果、キャップを閉塞した状態でも、ドレン水がノズルとキャップとの間から漏れだすおそれがある。
【０００８】
本発明は、上記課題を解決するためになされたものであって、キャップを閉塞した状態でノズルとキャップとの間からドレン水が漏れてしまうことを安定して防ぐことが可能なドレンパン及び空気調和機を提供することを目的とする。
【課題を解決するための手段】
【０００９】
上記課題を解決するために、本発明は以下の手段を提案している。
本発明の第一の態様におけるドレンパンは、熱交換器で空気から凝縮して生成されるドレン水を受けるドレンパンであって、水平方向に広がる板状をなして前記ドレン水を排出するポンプの吸込口に対向する位置に開口部が形成されたドレンパンシート、及び、該ドレンパンシートから前記開口部を取り囲むように上方に突出するシート突出部を有するドレンパン本体と、前記ドレンパン本体とは別部材によって形成され前記開口部に取り付けられるノズルであって、上下に延びる筒状に形成されて前記開口部に配置されたノズル本体、該ノズル本体と一体に形成されて該ノズル本体の上端から径方向に広がるとともに前記ドレンパンシートの上面に接触するノズル取付部、及び、前記シート突出部の径方向内側で前記ノズル取付部から上方に突出する円筒状をなすノズル突出部を有するノズルと、光透過性を有する材料で形成され、前記ノズルに対して回転して嵌め合わされて前記ノズルの下端を閉塞するキャップと、前記ノズル突出部、前記ノズル取付部及び前記シート突出部によって囲まれた空間に流し込まれて固化した接着剤からなる固定部と、を備える。
【００１０】
このような構成によれば、ノズルがドレンパン本体とは別部材として形成されてドレンパン本体に対して取り付けられることで、ドレンパン本体の構造に関わらず、ノズルに損傷を与えることなく、ノズルをドレンパン本体に固定することができる。したがって、ドレンパン本体に取り付ける際にノズルが変形してしまうことを抑えることができる。その結果、キャップを閉塞した状態でのキャップとノズルとの間のシール性を確保することができる。
また、ノズルの内周面にキャップを固定するための構造を形成することなく、ノズルにキャップを取り付けることができる。ノズル本体の外周面に雄ネジが形成されていることで、何度もノズル本体に掃除用の部材を挿入して吸込口を掃除しても、キャップを固定するための雄ネジが損傷してしまうことがなくなり、キャップをノズルに取り付けることができなくことを防止できる。
【００１７】
また、本発明の第二の態様における空気調和機は、ファンからの空気が通過する熱交換器と、前記熱交換器で前記空気から凝縮して生成されるドレン水を受ける前記ドレンパンと、を備える。
【００１８】
このような構成によれば、上記のドレンパンを備えていることで、ポンプの吸込口の詰まりを確認して掃除することが容易にできる。また、ノズルとキャップとの間からドレン水が漏れだすことを高い精度で防ぐことができる。
【発明の効果】
【００１９】
本発明によれば、ノズルをドレンパン本体とは別部材で形成することで、キャップを閉塞した状態でノズルとキャップとの間からドレン水が漏れてしまうことを安定して防ぐことができる。
【図面の簡単な説明】
【００２０】
【図１】本発明の実施形態における空気調和機を示す概略構成図である。
【図２】本実施形態における空気調和機のドレンパン付近の構成を示す縦断面図である。
【図３】本実施形態におけるキャップを示す正面図である。
【発明を実施するための形態】
【００２１】
以下、本発明の実施形態における空気調和機１について図１から図３に基づき、説明する。
図１に示すように、空気調和機１は、室外の空気Ａと冷媒ＲＦとの間で熱交換を行う室外機１１と、室外機１１とともに冷媒ＲＦの循環する冷凍サイクルを構成し、室内の空気Ａと冷媒ＲＦとの熱交換を行って熱交換後の空気Ａを室内に吹き出す室内機１０とを有している。
【００２２】
室外機１１は、詳細な図示は省略するが、圧縮機、四方切換弁、熱交換器、室外ファン、電子膨張弁（ＥＥＶ）、アキュームレータ、コントローラ等を有して構成されている。
【００２３】
室内機１０は、空気Ａを吹き出す室内ファン（ファン）１２と、室内ファン１２から吹き出された空気Ａが通過する熱交換器１３と、熱交換器１３で生成されたドレン水（凝縮水）Ｄを貯留するドレンパン２０と、ドレン水Ｄを排出するドレンポンプ（ポンプ）１４と、室内ファン１２と熱交換器１３とドレンパン２０とドレンポンプ１４とを収容する筐体１５と、を備えている。
【００２４】
室内ファン１２は、室内から空気Ａを取り込んでこの熱交換器１３に空気Ａを吹き出す。室内ファン１２は、筐体１５の内部に配置されている。
【００２５】
熱交換器１３は、空気Ａと冷媒ＲＦとの間で熱交換を行うことで、冷媒ＲＦを冷却する。熱交換器１３は、室内ファン１２からの空気Ａを通過させることで、空気Ａと冷媒ＲＦとの間で熱交換を行う。熱交換器１３では、通過した空気Ａから凝縮してドレン水Ｄが生成される。熱交換器１３は、筐体１５の内側で室内ファン１２の空気Ａの吹出口に対向して配置されている。
【００２６】
ドレン水Ｄは、空気調和機１の冷房運転中に、室内ファン１２から吹き出される空気Ａが熱交換器１３で冷却されることで、空気Ａ中の水蒸気が凝縮して生成される。
【００２７】
筐体１５は、例えば空調対象となる部屋の天井裏等に設置される。筐体１５は、箱状をなしている。筐体１５は、室内ファン１２と熱交換器１３とドレンパン２０とドレンポンプ１４とを内部に収容している。筐体１５は、下端が開口している。
【００２８】
ドレンポンプ１４は、ドレンパン２０に貯留されたドレン水Ｄを吸い上げて筐体１５の外に向けて圧送する。ドレンポンプ１４は、筐体１５の内部に配置されている。ドレンポンプ１４は、ドレン水Ｄを外部に排出する排出配管１４ｂが設けられている。ドレンポンプ１４は、円筒状の吸込口１４ａがドレンパン２０に向かって延びている。吸込口１４ａは、ドレンパン２０に溜まったドレン水Ｄに先端が浸かる位置に配置されている。したがって、ドレンポンプ１４は、ドレンパン２０に溜まったドレン水Ｄを吸込口１４ａから吸い込まれて排出配管１４ｂを介して筐体１５の外部に排出する。
【００２９】
ドレンパン２０は、熱交換器１３で生成されたドレン水Ｄを受けて貯留する。ドレンパン２０は、筐体１５の内部で熱交換器１３の下方に配置にされている。ドレンパン２０は、筐体１５の下端の開口の一部を閉塞するように筐体１５に取り付けられている。ドレンパン２０は、空気吸込口を形成するグリル（不図示）に外側から覆われている。本実施形態のドレンパン２０は、図２に示すように、ドレンポンプ１４の吸込口１４ａに対向する位置に開口部２１ａが形成されたドレンパン本体２１と、筒状に形成されて開口部２１ａに取り付けられるノズル２４と、ドレンパン本体２１とノズル２４とを固定する固定部２５と、ノズル２４に対して回転して嵌め合わされてノズル２４を閉塞するキャップ２６と、ノズル２４とキャップ２６との間をシールするシール部２７とを備えている。
【００３０】
ドレンパン本体２１は、熱交換器１３で空気Ａから凝縮して生成されるドレン水Ｄを受けるために、熱交換器１３を下方から覆うように配置されている。ドレンパン本体２１は、筐体１５の下端の開口の一部を遮るように配置されている。ドレンパン本体２１は、筐体１５に収容されたドレンポンプ１４の吸込口１４ａと対向する位置に開口部２１ａが形成されている。開口部２１ａは、後述するノズル２４の延びている延在方向にドレンパン本体２１を貫通する断面円形状の貫通孔である。
ここで、ノズル２４の延在方向のうち、筐体１５の内側を延在方向の他方側（図２の紙面上側）とし、筐体１５の外側を延在方向の一方側（図２の紙面下側）とする。
【００３１】
本実施形態のドレンパン本体２１は、ドレン水Ｄを受けることが可能なように皿状をなしている。ドレンパン本体２１は、ドレン水Ｄの漏れを抑制するドレンパンシート２２と、ドレンパンシート２２と一体に積層される発泡部２３とを有する。
【００３２】
ドレンパンシート２２は、貯留するドレン水Ｄに曝される。本実施形態のドレンパンシート２２は、例えば、ＡＢＳ材料からなる板状の部材である。ドレンパンシート２２は、シート本体２２１と、シート本体２２１から延在方向の他方側に突出するシート突出部２２２とを有する。
【００３３】
シート本体２２１は、延在方向と直交する水平方向に広がる平板部２２１ａと、平板部２２１ａの端部で延在方向の他方側の向かって延びる側部２２１ｂとを有する。
シート突出部２２２は、開口部２１ａを径方向の外側から取り囲むように形成されている。シート突出部２２２は、環状をなして平板部２２１ａから延在方向の他方側に向かって突出し、周方向の一部が側部２２１ｂと一体に形成されている。
【００３４】
発泡部２３は、ドレンパンシート２２に対して延在方向の一方側に積層されている。発泡部２３は、ドレンパンシート２２の外側を向く面を覆うように設けられている。発泡部２３は、発泡材料からなるドレンパンシート２２よりも断熱性の高い部材である。発泡部２３は、１２０℃程度の温度で成形後のドレンパンシート２２と一体成形されることで、ドレンパンシート２２の形状に合わせて一体的に固定されている。
【００３５】
ノズル２４は、ドレンパン本体２１とは別部材によって筒状に形成されている。つまり、ノズル２４は、ドレンパン本体２１とは別に製造された後に、開口部２１ａに取り付けられる。本実施形態のノズル２４は、延在方向に延びるノズル本体２４ａと、ノズル本体２４ａと一体に形成されてドレンパン本体２１に取り付けられるノズル取付部２４ｂと、ノズル取付部２４ｂから延在方向の他方側に突出するノズル突出部２４ｃとを有する。
【００３６】
ノズル本体２４ａは、中心軸Ｏに沿って延びる円筒状をなしている。ノズル本体２４ａの径方向の中心位置である中心軸Ｏは、吸込口１４ａの径方向の中心位置と同じ位置に配置されている。ノズル本体２４ａは、外周面に雄ネジが形成されている。ノズル本体２４ａは、開口部２１ａの径方向の内側を向く面と外周面との間に隙間を空けて配置されている。
【００３７】
ノズル取付部２４ｂは、ノズル本体２４ａの延在方向の他方側の端部から径方向の外側に向かって平板状をなして延びている。本実施形態のノズル取付部２４ｂは、ノズル本体２４ａの延在方向の他方側の端部から径方向に広がる円環状をなしている。ノズル取付部２４ｂは、延在方向の一方側を向く面が、シート本体２２１の延在方向の他方側を向く面に接触した状態で配置されている。
【００３８】
ノズル突出部２４ｃは、ノズル取付部２４ｂの延在方向の他方側を向く面に形成されている。ノズル突出部２４ｃは、円筒状をなしてノズル取付部２４ｂから突出している。ノズル突出部２４ｃは、ノズル本体２４ａよりも径方向外側の位置でノズル取付部２４ｂから突出している。
【００３９】
固定部２５は、ノズル２４とドレンパン本体２１とを固定する。本実施形態の固定部２５は、例えば、エポキシ樹脂のような液状の接着材である。固定部２５は、ノズル取付部２４ｂと、ノズル突出部２４ｃと、シート突出部２２２及び側部２２１ｂとによって囲まれた空間に流し込まれる。固定部２５は、流し込まれた後に固化することで、ノズル２４をドレンパン本体２１の開口部２１ａに固定する。
【００４０】
キャップ２６は、ノズル２４に対して回転して嵌め合わされて取り付けることで、ノズル２４の延在方向の一方側の端部の開口を閉塞する。キャップ２６は、有底筒状をなしている。本実施形態のキャップ２６は、有底円筒状をなしており、内周面に雌ネジが形成されている。キャップ２６は、ノズル本体２４ａに対して回転して取り付けられることで、キャップ２６の内周面に形成された雌ネジと、ノズル２４の外周面に形成された雄ネジとが嵌め合わされる。つまり、キャップ２６は、ノズル２４に螺合することで、底部がノズル本体２４ａの延在方向の一方側の端部の開口を閉塞する。キャップ２６は、光透過性を有する材料で形成されている。本実施形態のキャップ２６は、例えば、ポリプロピレンのような透明な樹脂材料で形成されている。
【００４１】
キャップ２６は、ノズル２４に取り付けられた状態で、底部の延在方向の一方側を向く外面２６ａが、延在方向の一方側を向くドレンパン本体の外面２１ｂよりも、延在方向の他方側の位置に配置されている。つまり、キャップ２６の底部の延在方向の一方側を向く外面２６ａは、発泡部２３の延在方向の一方側を向く面であるドレンパン本体の外面２１ｂから突出しない位置に配置されている。
なお、キャップ２６の外面２６ａは、ドレンパン本体の外面２１ｂから突出しない位置に配置されることに限定されるものではない。例えば、キャップ２６の外面２６ａは、ドレンパン本体の外面２１ｂより延在方向の一方側に突出する位置に配置されていてもよい。
【００４２】
底部の外面２６ａには、延在方向の他方側に向かって窪む凹部２６ｂが形成されている。凹部２６ｂは、ノズル２４の中心軸Ｏから径方向に外れた位置に形成されている。図３に示すように、本実施形態の凹部２６ｂは、延在方向の一方側から見た際に、扇形をなして外面２６ａから凹んでいる。凹部２６ｂは、中心軸Ｏを挟んで対称に二カ所形成されている。凹部２６ｂは、例えば、ラジオペンチの先端が入り込むことが可能な大きさで形成されている。
【００４３】
シール部２７は、ノズル本体２４ａとキャップ２６との間からドレン水Ｄが漏れることを防止する。本実施形態のシール部２７は、円環状のゴム部材である。シール部２７は、図２に示すように、キャップ２６の底部の延在方向の他方側を向く面に取り付けられている。シール部２７は、キャップ２６がノズル２４に取り付けられた際に、ノズル本体２４ａの延在方向の一方側の端部とキャップ２６の底部の延在方向の他方側を向く内側の面との間に挟まれるように配置されている。
【００４４】
上記のようなドレンパン２０によれば、ドレンパン本体２１の開口部２１ａに取り付けられたノズル２４を閉塞するキャップ２６が透明な樹脂材料で形成されていることで、キャップ２６がノズル２４に取り付けられた状態でも外部から吸込口１４ａを視認できる。また、キャップ２６をノズル２４から取り外すことで、ノズル２４の延在方向の一方側の端部が開放される。ノズル２４が開放されることで、外部からドレンポンプ１４の吸込口１４ａに直接触れて、掃除することができる。したがって、キャップ２６をノズル２４から取り外すだけで、ドレンパン本体２１を取り外すことなく容易にドレンポンプ１４の吸込口１４ａを掃除することができる。
【００４５】
また、ノズル２４がドレンパン本体２１とは別部材として形成されてドレンパン本体２１に対して固定部２５を介して後から取り付けられることで、ドレンパン本体２１の構造に関わらず、ノズル２４に損傷を与えることなく、ノズル２４をドレンパン本体２１に固定することができる。そのため、例えば、インサート成形等のように、ドレンパン本体２１を成形する際に同時のノズル２４をドレンパン本体２１に固定する場合とは異なり、ノズル２４が高温高圧の環境に曝されることを防ぐことができる。したがって、ドレンパン本体２１に取り付ける際にノズル２４が熱により変形してしまうことを抑えることができる。その結果、キャップ２６を閉塞した状態でのキャップ２６とノズル２４との間のシール性を確保することができる。これにより、キャップ２６を閉塞した状態でノズル２４とキャップ２６との間からドレン水Ｄが漏れてしまうことを安定して防ぐことができる。
【００４６】
また、ノズル２４が、ドレンパン本体２１とは、独立した部品であることで、ドレンパン本体２１の形の異なる別の空気調和機に対してもノズル２４を転用することができる。
【００４７】
また、キャップ２６は、回転することで、内周面に形成された雌ネジによってノズル本体２４ａの外周面に形成された雄ネジに嵌合される。そのため、ノズル本体２４ａの内周面にキャップ２６を固定するための構造を形成することなく、ノズル２４にキャップ２６を取り付けることができる。例えば、ドレンポンプ１４の吸込口１４ａを掃除する際に、ノズル本体２４ａの内部に工具等の掃除用の部材が挿入される場合がある。そのため、このように掃除を行うことで、ノズル本体２４ａの内周面に掃除用の部材が接触してしまい、ノズル本体２４ａの内周面を傷つけてしまうおそれがある。その結果、ノズル本体２４ａの内周面に雌ネジのようなキャップ２６を固定するための構造が形成されている場合には、掃除をすることでキャップ２６を固定するための雄ネジ自体が徐々に損傷してしまい、最終的にはキャップ２６をノズル本体２４ａに取り付けることができなくおそれがある。ところが、ノズル本体２４ａの外周面にキャップ２６を固定するための構造が形成されていることで、何度もノズル本体２４ａに掃除用の部材を挿入して吸込口１４ａを掃除しても、キャップ２６を固定するための構造自体が損傷してしまうことがなくなり、キャップ２６をノズル２４に取り付けることができなくことを防止できる。
【００４８】
また、キャップ２６の底部に凹部２６ｂを形成することで、ヘドロ等の汚れによりノズル２４とキャップ２６とが固着してしまった場合であっても、凹部２６ｂを利用してキャップ２６をノズル２４から取り外すことができる。具体的には、例えば、凹部２６ｂにラジオペンチやドライバーのような工具を挿入することで、キャップ２６をノズル２４から取り外すことができる。
【００４９】
また、凹部２６ｂがノズル２４の中心軸Ｏから径方向に外れた位置に形成されていることで、キャップ２６がノズル２４にと取り付けられた状態で凹部２６ｂに遮られることなく、吸込口１４ａの中心位置を視認することができる。したがって、キャップ２６に凹部２６ｂが形成されていても、吸込口１４ａが詰まっていないかを確認することができる。
【００５０】
また、ノズル２４に螺合された状態で、キャップ２６の底部の外面２６ａが発泡部２３の外面２１ｂよりも、延在方向の他方側の位置に配置されている。したがって、キャップ２６がノズル２４に取り付けられた状態で、キャップ２６がドレンパン本体２１から延在方向の一方側に向かって飛び出すことを防ぐことができる。これにより、延在方向にドレンパン２０をコンパクトに重ねることができ、ドレンパン２０を保管する際の設置スペースを抑えることができる。また、キャップ２６がドレンパン本体２１から延在方向の一方側に向かって飛び出していないため、引掛けによる破損を防止することができる。
【００５１】
また、ノズル２４とキャップ２６との間にシール部２７が設けられていることで、キャップ２６に形成された雌ネジやノズル２４に形成された雄ネジの寸法精度が高くなくとも、ノズル２４とキャップ２６との間からドレン水Ｄが漏れてしまうことを防ぐことができる。
【００５２】
また、上記のドレンパン２０を備えていることで、ドレンポンプ１４の吸込口１４ａの詰まりを確認して掃除することが容易にできる。また、ノズル２４とキャップ２６との間からドレン水Ｄが漏れだしてしまうことを高い精度で防ぐことができる。
【００５３】
以上、本発明の実施形態について図面を参照して詳述したが、各実施形態における各構成及びそれらの組み合わせ等は一例であり、本発明の趣旨から逸脱しない範囲内で、構成の付加、省略、置換、およびその他の変更が可能である。また、本発明は実施形態によって限定されることはなく、特許請求の範囲によってのみ限定される。
【００５４】
また、上述の実施形態では、キャップ２６全体が光透過性の材料で形成されているが、底部のみが光透過性の材料で形成されていてもよい。
【００５５】
また、本実施形態では、ドレンポンプ１４の吸込口１４ａの径方向の中心位置と、ノズル本体２４ａの径方向の中心位置とが同じ位置に形成されているが、このような配置に限定されるものではなく、ノズル２４から吸込口１４ａが視認できる位置であればよい。例えば、ドレンポンプ１４の吸込口１４ａの径方向の中心位置と、ノズル本体２４ａの径方向の中心位置とが、径方向にずれた位置であってもよい。
【００５６】
また、本実施形態の固定部２５は、液状の接着材であるが、このような構成に限定されるものではなく、ノズル２４をドレンパン本体２１に固定することができるものであればよい。例えば、固定部２５は、ドレンパンシート２２の平板部２２１ａの延在方向の他方側を向く面とノズル取付部２４ｂの延在方向の一方側を向く面との間に配置されたシート状の接着材であってもよい。また、固定部２５は、接着剤等の別の部材を用いるのではなく、ノズル２４やドレンパン本体２１にフックのような形状で形成されていてもよい。
【符号の説明】
【００５７】
１…空気調和機  １１…室外機  １０…室内機  ＲＦ…冷媒  Ａ…空気  １２…室内ファン  １３…熱交換器  Ｄ…ドレン水  ２０…ドレンパン  ２１…ドレンパン本体  ２１ａ…開口部  ２１ｂ…外面  ２２…ドレンパンシート  ２２１…シート本体  ２２１ａ…平板部  ２２１ｂ…側部  ２２２…シート突出部  ２３…発泡部  ２４…ノズル  Ｏ…中心軸  ２４ａ…ノズル本体  ２４ｂ…ノズル取付部  ２４ｃ…ノズル突出部  ２５…固定部  ２６…キャップ  ２６ａ…外面  ２６ｂ…凹部  ２７…シール部  １４…ドレンポンプ  １４ａ…吸込口  １４ｂ…排出配管  １５…筐体
【図１】
0006638166.tif 000002
【図２】
0006638166.tif 000003
【図３】
0006638166.tif 000004